(57)【要約】      （修正有）【課題】構成部材を分離することなく、第１のコンテナ内部に第２のコンテナに含む新しい液体内容物を供給することができる構造を有するコンテナアセンブリーを提供する。【解決手段】 第１の内容物の入った第１のコンテナ１０；上記第１のコンテナ下部に回転自在な状態で配置される回転部材３０；固定された状態で上記回転部材内に配置され、一定の間隔を有する上部及び下部の案内部を含む案内部材４０；上記案内部材内に配置され、案内部材の上部案内部を貫通して回転部材に連結される連結部材を含み、上記回転部材の回転によって案内部材の上部案内部に沿って上昇及び回転し、上端に注入部材を有する第２のコンテナ５０；及び上記案内部材内で、上記第２のコンテナ下部に配置され、案内部材の下部案内部を貫通して回転部材に連結される連結部材を含み、回転部材の回転によって案内部材の下部案内部に沿って上昇及び回転し、上記第２のコンテナを加圧するピストン部材６０；にて構成する。【選択図】図１
0003147887.tif 000002
【実用新案登録請求の範囲】
【請求項１】
第１の内容物の入った第１のコンテナ；
上記第１のコンテナ下部に回転自在な状態で配置される回転部材；
固定された状態で上記回転部材内に配置され、一定の間隔を有する上部及び下部の案内部を含む案内部材；
上記案内部材内に配置され、案内部材の上部案内部を貫通して回転部材に連結される連結部材を含み、上記回転部材の回転によって案内部材の上部案内部に沿って上昇及び回転し、上端に注入部材を有する第２のコンテナ；及び
上記案内部材内で、上記第２のコンテナ下部に配置され、案内部材の下部案内部を貫通して回転部材に連結される連結部材を含み、回転部材の回転によって案内部材の下部案内部に沿って上昇及び回転し、上記第２のコンテナを加圧するピストン部材；
を含むことを特徴とするコンテナアセンブリー。
【請求項２】
上記回転部材は、その内壁に互いに対向するように形成された少なくとも２個の垂直ガイド溝を含み、
上記案内部材の上部案内部は、第１の案内路と第２の案内路とに区分され、第１の案内路と第２の案内路の第１の終端は互いに対向する位置の案内部材の中央部に、第２の終端は互いに対向する位置の案内部材の上端に配置され、上記第１の案内路と第２の案内路は、それぞれ、下部が傾斜案内路、上部が水平案内路からなり、
上記下部案内部は、同じ角度で上向き傾斜した形状を有する第１の案内路と第２の案内路とに区分され、第１の案内路と第２の案内路の第１の終端は互いに対向する位置の案内部材の下端に、第２の終端は互いに対向する位置の案内部材の中央部に配置され、
上記ピストン部材の連結部材は、案内部材の下部案内部の第１及び第２の案内路をそれぞれ通り抜けて、端部が回転部材の垂直ガイド溝にそれぞれ収容される、第１及び第２のロッドであり、
上記第２のコンテナの連結部材は、案内部材の上部案内部の第１及び第２の案内路をそれぞれ通り抜けて、端部が回転部材の垂直ガイド溝にそれぞれ収容される、第１及び第２のロッドであること
を特徴とする請求項１に記載のコンテナアセンブリー。
【請求項３】
上記上部案内部の第１及び第２の案内路の水平案内路の終端は開放状態であり、上記下部案内部の第１及び第２の案内路の下部終端は開放状態であることを特徴とする請求項２に記載のコンテナアセンブリー。
【請求項４】
上記ピストン部材は、
上記第２のコンテナに対応する加圧部材；及び
上記加圧部材の下部に配置され、ロッドが両側に水平に延びている支持部材；
を含むことを特徴とする請求項２に記載のコンテナアセンブリー。
【請求項５】
上記第２のコンテナは、
上端に注入部を設け、下端が開放され、両側に第１及び第２のロッドが形成されているハウジング；及び
上記注入部に連結された状態で上記ハウジング内に配置され、内部に第２の溶液を入れる、弾性体で作製されるバッグ；を含み、
上記ピストン部材の上昇時、加圧部材が上記バッグを加圧すること、
を特徴とする請求項１または２に記載のコンテナアセンブリー。
【請求項６】
上記第１のコンテナの底部材は弾性材料からなり、そして上端には内部の内容物を排出するポンピング手段が取り付けられていることを特徴とする、請求項１に記載のコンテナアセンブリー。
【請求項７】
上記第１のコンテナの底部材は、上記第２のコンテナの注入手段に対応する部分が弾性材料からなり、そして上端には内部の内容物を排出するポンピング手段が取り付けられていることを特徴とする、請求項１に記載のコンテナアセンブリー。
【請求項８】
各構成部材を収納する外部ケーシングを更に含むことを特徴とする、請求項１に記載のコンテナアセンブリー。
【考案の詳細な説明】
【技術分野】
【０００１】
本考案は、コンテナアセンブリーに関する。特に、簡単な操作で第１のコンテナの内容物に、第２のコンテナの内容物を添加／混合することができる構造を有するコンテナアセンブリーに関するものである。
【背景技術】
【０００２】
内部に入っている液体（または気体）内容物を外部に排出することができる構造を有する一般的なコンテナは、内容物が入っているケーシング、ケーシングの一端に取り付けられたポンピング手段及びポンピング手段を保護するためのカバー（cap）からなる。
【０００３】
上記構造からなるコンテナは、ポンピング手段の作動によって、ケーシング内部と外部の間の圧力差によりケーシング内に設けられたピストンが上昇し、液体内容物がポンピング手段を通じて外部に排出される。
【０００４】
上記構造を有するコンテナでは、コンテナのケーシング内に入れられている内容物、例えば、液状薬剤を補充するか、又は別の種類の液状薬剤を投入して混合するためには、カバーを外した後、ポンピング手段を構成するノズルアセンブリーの排出口を通じて液状薬剤を投入するしか方法がない。
【０００５】
即ち、ケーシング内部は、液状の内容物が入っており、又真空圧状態を保持しているため、液状薬剤を補充する場合、ケーシングからノズルアセンブリーを分離する以外に方法がなく、カバーを外した後、ノズルアセンブリーの狭い排出口を通じて薬剤を注入することになる。
【０００６】
このように、追加内容物の補充のために、カバーの取り外し及び再組み立てという多少複雑な過程が必要とされる。また、ノズルアセンブリーを保護するカバーを外さなければならないので、コンテナが汚れる恐れがあり、これと共に、液体内容物が空気と接触することによって液体内容物が変質しうるという問題点があった。
【考案の開示】
【考案が解決しようとする課題】
【０００７】
本考案は、２つ内容物を混合する構造を有するコンテナで生じる上述した問題点を解決するためのものであり、構成部材を分離することなく、第１のコンテナ内部に、第２のコンテナに入っている新しい液体内容物を供給することができる構造を有するコンテナアセンブリーを提供することに、その目的がある。
【課題を解決するための手段】
【０００８】
このような目的を達成するための本考案の態様に係るコンテナアセンブリーは、 第１の内容物が入っている第１のコンテナ；上記第１のコンテナ下部に回転自在な状態で配置される回転部材；固定された状態で上記回転部材内に配置され、一定の間隔を有する上部及び下部案内部を含む案内部材；上記案内部材内に配置され、案内部材の上部案内部を貫通して回転部材に連結される連結部材を含み、上記回転部材の回転によって案内部材の上部案内部に沿って上昇及び回転し、上端に注入部材を有する第２のコンテナ；及び上記案内部材内で、上記第２のコンテナ下部に配置され、案内部材の下部案内部を貫通して回転部材に連結される連結部材を含み、回転部材の回転によって上記案内部材の下部案内部に沿って上昇及び回転し、上記第２のコンテナを加圧するピストン部材；を含む。
【０００９】
ここで、回転部材は、その内壁に互いに対向するように形成された少なくとも２個の垂直ガイド溝を含む。
案内部材の上部案内部は、第１の案内路と第２の案内路とに区分され、第１の案内路と第２の案内路の第１の終端は互いに対向する位置の案内部材の中央部に、第２の終端は互いに対向する位置の案内部材の上端に配置され、第１の案内路と第２の案内路は、それぞれ、下部が傾斜案内路、上部が水平案内路からなる。
また、 上記下部案内部は、同じ角度で上向き傾斜した形状を有する第１の案内路と第２の案内路とに区分され、第１の案内路と第２の案内路の第１の終端は互いに対向する位置の案内部材の下端に、第２の終端は互いに対向する位置の案内部材の中央部に、配置される。
【００１０】
一方、上記ピストン部材の連結部材は、案内部材の下部案内部の第１及び第２の案内路をそれぞれ通り抜けて、端部が回転部材の垂直ガイド溝にそれぞれ収容される、第１及び第２のロッドである。上記第２のコンテナの連結部材は、案内部材の上部案内部の第１及び第２の案内路をそれぞれ通り抜けて、端部が回転部材の垂直ガイド溝にそれぞれ収容される、第１及び第２のロッドである。
【００１１】
本考案でのピストン部材は、第２のコンテナに対応する加圧部材、及び加圧部材の下部に配置され、ロッドが両側に水平に延びている支持部材からなり、第２のコンテナは、上端に注入部が設けられ、下端が開放され、両側に第１及び第２のロッドが形成されているハウジング；及び注入部に連結された状態でハウジング内に配置され、内部に第２の溶液を入れる、弾性体で作製されるバッグ（ｂａｇ）からなり、ピストン部材の上昇時、加圧部材がバッグを加圧する。
【考案を実施するための最良の形態】
【００１２】
以下、本考案を添付図面を参照して、詳細に説明する。
図１は、本考案に係るコンテナアセンブリーの分解の斜視図であり、図２は、図１に図示した各部材を組立てた状態の断面図で、コンテナアセンブリーを構成する全ての部材を図示する。一方、便宜上、図２では、本考案の主要構成部材ではないポンピング部材は、ボックスで図示した。
【００１３】
本考案に係るコンテナアセンブリーは、ケーシング２０内に取り付けられた第１のコンテナ１０、第１のコンテナ１０下部に位置する回転部材３０、回転部材３０内に収容される案内部材４０、そして案内部材４０内に上下に収納される第２のコンテナ５０及びピストン部材６０を含む。
各部材の詳細な構成は、以下の通りである。
【００１４】
第１のコンテナ１０
薬剤などのような内容物が入っている第１のコンテナ１０は、ケーシング２０内に固定された状態で配置され、その上端部に内容物を外部に排出（噴射）することができるポンピング部材１１が取り付けられている。ここで、ポンピング部材１１の構成及び機能は、一般的であるので、それに対する説明は省略する。
第１のコンテナ１０を構成する底部材の所定部分、即ち、後述する第２のコンテナ５０に取り付けられた針に対応する部分１２は、針が貫通できる部材、例えば、ゴムからなる。詳細説明なしの番号２１は、カバーであり、ケーシング２０に結合され、ポンピング部材１１を外部と隔離する。
【００１５】
回転部材３０
回転部材３０は、上端が開放された中空の円筒状部材であり、ケーシング２０の下端に回転自在な状態で取り付けられる。また、図２に図示された完全組立状態では、第１のコンテナ１０の下部に位置する。
回転部材３０の内面には、全高にわたって２個の垂直ガイド溝３１及び３２が形成され、この垂直ガイド溝３１及び３２は、互いに対向するように配置されていることが好ましい。
詳細説明なしの番号３９は、回転部材３０の底部を密閉する底カバーである。
【００１６】
案内部材４０
回転部材３０内に収納される案内部材４０は、所定の高さを有して、上端及び下端が開放された中空の円筒状の部材である。この案内部材４０は、ケーシング２０に固定されているので、回転部材３０の回転とは関係なく固定された状態を保持する。
図１に示すように、案内部材４０の円周面には、案内部材４０を貫通する所定幅の案内路を有する下部案内部４１及び上部案内部４２が、形成されている。
【００１７】
図３は、案内部材４０の展開図面であり、案内部材４０に形成された上部案内部４２及び下部案内部４１の構造を図示している。
下部案内部４１は、同じ角度を有して上向き傾斜した形状を持つ、第１の案内路４１−１と第２の案内路４１−２とからなる。図３に示すように、第１の案内路４１−１と第２の案内路４１−２の第１の終端は、互いに対向する位置の案内部材４０の下端に、第２の終端も互いに対向する位置の案内部材４０の中央部に配置される。ここで、第１の案内路４１−１と第２の案内路４１−２は、開放された第１の終端を通じて外部と連絡しており、第２の終端は、閉鎖された状態である。
【００１８】
また、下部案内部４１と所定の間隔を有する上部案内部４２は、第１の案内路４２−１と第２の案内路４２−２とに区分される。図３に示すように、第１の案内路４２−１と第２の案内路４２−２の第１の終端は、互いに対向する位置の案内部材４０の中央部に、第２の終端はやはり互いに対向する位置の案内部材４０の上端に配置される。ここで、第１の案内路４２−１と第２の案内路４２−２は、開放された第２の終端を通じて外部と連絡しており、第１の終端は、閉鎖された状態である。
【００１９】
一方、図３に示すように、上部案内部４２の第１及び第２の案内路４２−１及び４２−２は、傾斜案内路４２−１Ａ及び４２−２Ａと水平案内路４２−１Ｂ及び４２−２Ｂとに区分されている。
即ち、上部案内部４２の第１の案内路４２−１と第２の案内路４２−２の下部は、下部案内部４１の第１の案内路４１−１と第２の案内路４１−２の傾斜角度と同じ傾斜角度を有する傾斜案内路４２−１Ａ及び４２−２Ａとからなり、その上部は水平状態の水平案内路４２−１Ｂ及び４２−２Ｂからなる。
一方、図３での図面番号５１及び５２は、後述する第２のコンテナ５０に形成されたロッドを、図面番号６１及び６２は、ピストン部材６０に形成されたロッドをそれぞれ示す。
【００２０】
ピストン部材６０
案内部材４０内に位置するピストン部材６０は、上部の加圧部材６３及び下部の支持部材６４からなる。円板状の支持部材６４の両側には、支持部材の仮想直径線に沿って水平に延びる所定長さの第１のロッド６１及び第２のロッド６２が固定されている。
この第１のロッド６１及び第２のロッド６２は、案内部材４０に形成された下部案内部４１の第１の案内路４１−１及び第２の案内路４１−２のそれぞれに挿入、収容される。
【００２１】
案内部材４０の下部案内部４１の第１の案内路４１−１及び第２の案内路４１−２に収容された第１のロッド６１及び第２のロッド６２の一部は、案内部材４０の外に突き出て、この突き出た部分は、回転部材３０の内面に形成された２個の垂直ガイド溝３１及び３２内にそれぞれ収容される。
このとき、ピストン部材６０の各ロッド６１及び６２は、案内部材４０の下部案内部４１を構成する第１の案内路４１−１及び第２の案内路４１−２の下端の開放部を通じて第１の案内路４１−１及び第２の案内路４１−２内に収容される。
【００２２】
第２のコンテナ５０
第２のコンテナ５０は、案内部材４０内において、ピストン部材６０上部に配置される。
第１のコンテナ１０と同じ内容物または別種の内容物が入った第２のコンテナ５０は、ゴムのような収縮及び膨脹が可能な、ルチルラバーまたはシリコンのような弾性体からなるバッグ（図示していない）とこのバッグを包むハウジング５３とからなる。
【００２３】
このハウジング５３は、バッグを保護するためにプラスチックのような剛性材料で作製され、下端は開放状態である。また、ハウジング５３の上端には、注入部材５４（例えば、注射針）が固定されている。
一方、ハウジング５３の上端部両側には、仮想直径線に沿って水平に延びた所定長さの第１のロッド５１及び第２のロッド５２が、固定されている。この第１のロッド５１及び第２のロッド５２は、案内部材４０に形成された上部案内部４２の第１の案内路４２−１及び第２の案内路４２−２に挿入、収容される。
【００２４】
案内部材４０の上部案内部４２の第１の案内路４２−１及び第２の案内路４２−２内に収容された第１のロッド５１及び第２のロッド５２の一部は、案内部材４０の外に突き出て、この突き出た部分は、回転部材３０の内面に形成された２個の垂直ガイド溝３１及び３２内にそれぞれ収容される。
このとき、第２のコンテナ５０の各ロッド５１及び５２は、上部案内部４２の第１の案内路４２−１及び第２の案内路４２−２の上端の開放部、即ち、各水平部４２−１Ｂ、４２−２Ｂの終端に形成された開放部を通って第１の案内路４２−１及び第２の案内路４２−２内に収容される。
一方、図１での詳細説明なしの番号７１及び７２は、シール部材である。
【００２５】
以上のような部材からなる本考案の動作及び機能を各図面を参照して説明すると、下記の通りである。
まず、図１に図示された各部材を組立てる。即ち、ピストン部材６０と第２のコンテナ５０を、案内部材４０内に収納した後、案内部材４０を回転部材３０内に収容する。
この状態では、ピストン部材６０の第１のロッド６１及び第２のロッド６２は、案内部材４０の下部案内部４１の第１の案内路４１−１及び第２の案内路４１−２に収容され、案内部材４０の外に突き出たロッド６１及び６２の一部は、回転部材３０の内面に形成された２個の垂直ガイド溝３１及び３２内にそれぞれ収容される。
【００２６】
また、第２のコンテナ５０のハウジング５３上端部に形成された第１のロッド５１及び第２のロッド５２は、案内部材４０の上部案内部４２の第１の案内路４２−１及び第２の案内路４２−２に収容され、案内部材４０の外に突き出たロッド５１及び５２の一部は、回転部材３０の内面に形成された２個の垂直ガイド溝３１及び３２内にそれぞれ収容される。
このような状態で、案内部材４０が内部に収納されている回転部材３０を、第１のコンテナ１０が収納されているケーシング２０の下端に連結すれば、図２に図示された本考案のコンテナが組立てられる。
このように構成された本考案に係るコンテナアセンブリーの動作及び機能を、各図面を参照して、詳細に説明する。
【００２７】
図４〜図６は、ピストン部材６０、第２のコンテナ５０及び案内部材４０の関係を図示した図である。図４〜図６は、案内部材４０の正面から見た図面であり、便宜上案内部材４０内部に収納されたピストン部材６０及び第２のコンテナ５０は点線で表した。
一方、図７〜図９は、ピストン部材６０による第２のコンテナ５０の内容物が排出される段階を図示した部分断面図である。
ここで、図４及び図７は初期状態を、図５及び図８は第２のコンテナ５０とピストン部材６０の上昇状態を、そして図６及び図９は第２のコンテナ５０の内容物が排出される状態を、それぞれ図示した。
【００２８】
図４及び図７に図示された初期状態、即ち、第２のコンテナ５０とピストン部材６０が上昇していない状態で、使用者が第１のコンテナ１０に入っている内容物に、第２のコンテナ５０に入っている内容物を混合させる場合、回転部材３０を（案内部材４０の各案内路の傾斜方向に）回転させる。
回転部材３０の回転によって、回転部材３０のガイド溝３１及び３２にそれぞれ収容された第２のコンテナ５０の２個のロッド５１及び５２は、固定された状態の案内部材４０の上部案内部４２の第１の案内路４２−１及び第２の案内路４２−２の傾斜案内路４２−１Ａ及び４２−２Ａに沿って上昇する。これにより、第２のコンテナ５０は、各案内路４２−１及び４２−２の高さまで（即ち、傾斜案内路４２−１Ａ及び４２−２Ａの下端から水平案内路４２−１Ｂ及び４２−２Ｂの隣接部までの間隔分）上昇するようになる。
【００２９】
これと同時に、回転部材３０の回転によって、回転部材３０のガイド溝３１及び３２にそれぞれ収容されたピストン部材６０の２個のロッド６１及び６２は、固定された状態の案内部材４０の下部案内部４１の第１の案内路４１−１及び第２の案内路４１−２に沿って上昇する。
このように第２のコンテナ５０が上昇した状態では、第２のコンテナ５０の上端に設けられた注入部材５４は、第１のコンテナ１０の下端部材の一部を構成する弾性部材１２を貫通して、その先端部が第１のコンテナ１０内部に位置するようになる（図５及び図８の状態）。
【００３０】
このような条件下で、使用者が回転部材３０を更に回転させれば、第２のコンテナ５０の２個のロッド５１及び５２は、案内部材４０の上部案内部４２の第１の案内路４２−１及び第２の案内路４２−２の傾斜案内路４２−１Ａ及び４２−２Ａから外れて、水平案内路４２−１Ｂ及び４２−２Ｂに進入するようになる。これにより、第２のコンテナ５０は、回転するだけであり、これ以上上昇しない。
しかし、ピストン部材６０の２個のロッドは、案内部材４０の下部案内部４１の第１の案内路４１−１及び第２の案内路４１−２に沿って引続き回転し、上昇する。
【００３１】
従って、ピストン部材６０の上昇、即ち、加圧部材６３が上昇して、回転するだけの第２のコンテナ５０のバッグ（内容物が入っている状態である）を加圧するようになる。これにより、バッグは圧縮状態になる過程で、その内部に入っている内容物は、注入部材５４を通じて第１のコンテナ１０に注入される（図６及び図９の状態）。
このように、第２のコンテナ５０の内容物が、第１のコンテナ１０に注入された後、第１のコンテナ１０の上端に設けられたポンピング手段１１を作動させる。これにより、両内容物が混合されて、内容物が外部に排出される。
【００３２】
一方、上記のように、第１のコンテナ１０の底部材全体または第２のコンテナ５０の注入部材５４が挿入される部分１２は、弾性体からなっている。このような弾性体から注入部材５４を外す場合にも、液体内容物がその部位を通じて漏洩される恐れはない。
従って、第２のコンテナ５０の内容物を第１のコンテナ１０に全部注入した場合、各部材を分解して、新しい内容物が入っている別のコンテナを連結して、使用することができる。
【００３３】
例えば、本明細書では、回転部材３０には２個の垂直ガイド溝３１及び３２が、ピストン部材６０及び第２のコンテナ５０には、それぞれ２個のロッド６１及び６２並びに５１及び５２が、そして案内部材４０には上部案内部４２及び下部案内部４１に、それぞれ第１の案内路４２−１及び４１−１並びに第２の案内路４２−２及び４１−２が、形成されていることを説明しているが、回転部材に単一の垂直ガイド溝、ピストン部材及び第２のコンテナに、それぞれ単一のロッド、そして案内部材には単一の案内路からなる上部案内部及び下部案内部を形成する場合にも、同じ機能を得ることができる。
【００３４】
本考案の態様を多くの具体例を参照して説明したが、当業者であれば、数多くの他の修飾及び具体化が、本考案の精神及び範囲内で工夫され実施されることは、認識されるであろう。特に、本考案の精神から逸脱することなく、前記明細書での開示、図面及び特許請求の範囲の範疇での構成部品及び／または組み合わせ配置等で、妥当な変更及び修飾が可能である。構成部品及び／または配置での変更及び修飾に加えて、代替え的な使用も可能であることは、当業者であれば明らかであろう。
【産業上の利用可能性】
【００３５】
以上のような本考案に係るコンテナアセンブリーは、注射器のような道具を用いることなく、構成部材（回転部材）を単純に回転させることによって、２個のコンテナ内に別々に貯蔵されている内容物を混合させることができる。
【図面の簡単な説明】
【００３６】
【図１】図１は、本考案に係るコンテナアセンブリーの分離斜視図である。
【図２】図２は、図１に図示された各部材を組立てた状態の断面図である。
【図３】図３は、案内部材の展開図である。
【図４】図４は、ピストン部材、第２のコンテナ及び案内部材の関係（その１）を図示した図であり、案内部材の正面より示した図である。
【図５】図５は、ピストン部材、第２のコンテナ及び案内部材の関係（その２）を図示した図であり、案内部材の正面より示した図である。
【図６】図６は、ピストン部材、第２のコンテナ及び案内部材の関係（その３）を図示した図であり、案内部材の正面より示した図である。
【図７】図７は、ピストン部材による第２のコンテナ内の内容物が排出される段階（その１）を示した部分断面図である。
【図８】図８は、ピストン部材による第２のコンテナ内の内容物が排出される段階（その２）を示した部分断面図である。
【図９】図９は、ピストン部材による第２のコンテナ内の内容物が排出される段階（その３）を示した部分断面図である。
【図１】
0003147887.tif 000003
【図２】
0003147887.tif 000004
【図３】
0003147887.tif 000005
【図４】
0003147887.tif 000006
【図５】
0003147887.tif 000007
【図６】
0003147887.tif 000008
【図７】
0003147887.tif 000009
【図８】
0003147887.tif 000010
【図９】
0003147887.tif 000011